(57)【要約】  パワーユニットが流体分配システムと流体接続されているパワーユニット交換可能な流体容器を開示する。容器は連続した外壁と外壁の一端を閉鎖するベース部と、ベース部に対向して位置する蓋部とを有し、外壁の第2の端部を閉鎖して容器を形成し流体を収容する略直方体のハウジングを備える。くぼみはベース部に配置されくぼみ内に流体入口および流体出口を備える。ベース部のくぼみは着脱可能なマニホールドを受け入れて収容するように寸法決めされている。【選択図】図1
2020528120.tif 000002
【特許請求の範囲】
【請求項１】
パワーユニット交換可能な流体容器であって、このパワーユニットは流体分配システムと流体接続され、
流体を収容するように構成された略直方体のハウジングであって、そのハウジングは連続した外壁と外壁の一方の端を閉鎖するベース部と、そのベース部に対向して位置し外壁の第２の端を閉鎖して容器を形成する蓋部とを有し、
ベース部にくぼみを有し、および
くぼみ内に流体入口および流体出口を備え、
ベース部のくぼみは着脱可能なマニホールドを受け入れて収容するように寸法決めされていることを特徴とするパワーユニット交換可能な流体容器。
【請求項２】
交換可能な流体容器であり、
ベース部のくぼみは着脱可能なマニホールドをハウジングに固定するための固定手段を含む請求項１に記載の交換可能な流体容器。
【請求項３】
交換可能な流体容器であり、
固定手段はねじ山または少なくとも１つのリップおよびチャンネル配置を備える請求項２に記載の交換可能な流体容器。
【請求項４】
ベース部は交換可能な流体容器をパワーユニットの流体分配システムに接続するために提供されるドック内に位置するようにさらに構成される請求項１〜３のいずれかに記載の交換可能な流体容器。
【請求項５】
交換可能な流体容器内で使用するための着脱可能なマニホールドであり、
少なくとも第１および第２の対向する側面と、交換可能な流体容器に隣接するように構成された第１の対向する側面と、流体容器から遠隔になるように構成された第２の対向する側面とを有するマニホールドハウジングであり、
第２の対向する側面に配置されたマニホールド入口およびマニホールド出口と、
第１の対向する側面に配置された容器入口及び容器出口を有し、
マニホールドハウジングの内部ではマニホールド入口が容器入口に接続され、マニホールド出口が容器出口に接続され、マニホールド入口に流入する流体とマニホールド出口から流出する流体とがフィルタを介して流れるようにマニホールドハウジングにフィルタが取り付けられていることを含む請求項１〜４に記載の交換可能な流体容器内で使用するための着脱可能なマニホールド。
【請求項６】
ねじ山または少なくとも１つのチャンネルとリップをさらに備えベース部のくぼみ内の固定手段と係合する請求項５に記載の着脱可能なマニホールド。
【請求項７】
流体が潤滑油である請求項１〜６のいずれかに記載の交換可能な流体容器。
【請求項８】
セルフシーリングカップリングをさらに含む請求項５に記載の着脱可能なマニホールド。
【発明の詳細な説明】
【技術分野】
【０００１】
本発明はパワーユニット交換可能な流体容器であって、流体分配システムと流体接続されているパワーユニットと着脱可能なマニホールドとに関する。
【背景技術】
【０００２】
カストロール リミテッドから入手可能なネクセルのような種々のオイル交換システムが知られている。これらのシステムはウェットサンプとドライサンプの両方のエンジンシステムに互換性がある。ウェットサンプシステムにおいてエンジンは典型的なエンジン動作の間、サンプ内に一定のオイル水準を保持する。通常では時間、車両の走行距離、またはエンジン作動履歴によって定義される一定期間の使用後このオイルは交換が必要となる。これを行うには使用済みオイルをサンプから排出し、次に新品オイルを充填する必要があり、このプロセスではプラグなどのパワーユニットからシール機構を手動で取り外し、オイルがすべてサンプから排出されるのを待つ必要がある。軽微な漏れや加熱サイクルの繰り返しによるオイルの化学構造の破壊、燃焼室への損失およびエンジン構成部品の摩耗により、オイルの水準はパワーユニットの使用中に低下する可能性がある。したがってパワーユニット内のオイルの水準を維持することはその最適な使用にとって重要である。
【０００３】
別のエンジン装備はドライサンプシステムであり、そこではオイルをパワーユニットのサンプ内に保持するのではなく、クリーンなオイルおよび使用済みオイルが遠隔オイルタンクに貯蔵され、使用中にタンクとエンジンとの間で圧送される。この場合もこのようなシステムでの排出は手動で集約的であり時間を要し、そして常に適切な量のオイルをパワーユニットにポンプで送り込むことができなければならない。
【発明の概要】
【発明が解決しようとする課題】
【０００４】
したがってパワーユニット内でオイルを適切な品質で十分に維持することは困難な作業である。またオイル自体も比較的高価であり、より小型のパワーユニットでも使用中およびオイル交換中に数リットルのオイルを消費する。典型的にはオイル交換はサービス中にウェットおよびドライ両方のサンプシステムの排出および充填の経験を有する熟練技術者によって実施される。もう一つの問題は使用済みオイルが特に危険であり、オイル交換を行う人々や環境に危害を及ぼさないように慎重に廃棄する必要があることである。オイル交換に加えて、オイルフィルタやシールなどの他の補助部品を交換する必要が度々ある。上記ネクセルのオイル交換システムのようにオイル容器内にオイルフィルタを含むことが一般的であり、オイル容器がサービス中に交換されるとオイルフィルタおよびシールも交換される。そしてオイル容器がリサイクルされ、必要に応じてオイルフィルタを取り外し、清掃し、交換することができる。しかしこの作業を行うにはオイルフィルタに接近するためにオイル容器全体を解体する必要がある。これによりリサイクルプロセスに時間を要す可能性がある。これらの問題の少なくともいくつかを解決できれば非常に役に立つはずである。
【課題を解決するための手段】
【０００５】
本発明の実施形態はパワーユニット交換可能な流体容器を提供することでこれらの問題に対処するものであり、パワーユニットは流体分配システムと流体接続され、流体を収容するように構成された略直方体ハウジングであり、連続する外壁と外壁の一方の端を閉鎖するベース部と、そのベース部に対向して蓋部を有し容器を構成しているハウジング、ベース部にくぼみが設けられていること、さらに流体入口と流体出口をそのくぼみの中に備えられていること、そこでベース部のくぼみは着脱可能なマニホールドを受け入れ、収容するように寸法決めされることを含む。
【０００６】
第2の態様では、本発明の実施形態はまた、マニホールドハウジングは少なくとも第１および第２の対向する側面と第１の対向する側面は交換可能な流体容器と隣接するように構成され、そして第２の対向する側面は流体容器から遠隔になるように構成され、マニホールド入口とマニホールド出口は第２の対向する側面に位置し、容器入口と容器出口は第１の対向する側面に位置することを含む、交換可能な流体容器内で使用するための着脱可能なマニホールドを提供し、ここでマニホールドハウジングの内部でマニホールド入口が容器入口と接続され、マニホールド出口は容器出口と接続され、ここでマニホールド入口から流入する流体と、そしてマニホールド出口から流出する流体とがフィルタを介すようにマニホールドハウジング内にフィルタが設置され、そしてここで任意にマニホールドはフィルタ膜を閉じ込む。
【０００７】
次に、本発明の実施形態を単なる例として添付の図面を参照して説明する。
【図面の簡単な説明】
【０００８】
【図１】本発明の実施形態による着脱可能なマニホールドを有する交換可能な流体容器の分解図である。
【図２】本発明の実施形態による着脱可能なマニホールドを有する交換可能な流体容器の概略断面図である。
【発明を実施するための形態】
【０００９】
本発明の実施形態は、交換可能なオイル容器とオイルフィルタを備えた着脱可能なマニホールドと共に使用することができるというアプローチをとる。エンジンなどのパワーユニットが流体分配システムと流体接続している状況では、交換可能な流体容器は流体を収容するように構成された略直方体のハウジングを備え、このハウジングは連続した外壁と、外壁の一方の端を閉鎖するベース部と、ベース部に対向して位置し、外壁の第２の端を閉鎖して容器を形成する蓋部とを有する。ベース部にはくぼみが設けられており、このくぼみ内には流体入口および流体出口が備えられている。くぼみ自体は着脱可能なマニホールドを受け入れ収容するように寸法決めされる。マニホールドは少なくとも第１および第２の対向する側面を有するマニホールドハウジングを備える。第１の対向する側面は交換可能な流体容器と隣接するように構成され、そして第２の対向する側面は流体容器から遠隔になるように構成される。マニホールド入口とマニホールド出口は第２の対向する側面に位置する。容器入口と容器出口は第１の対向する側面に位置する。マニホールドハウジングの内部でマニホールド入口が容器入口と接続され、マニホールド出口は容器出口と接続される。マニホールドハウジングの内部でマニホールド入口から流入する流体と、そしてマニホールド出口から流出する流体とがフィルタを介すようにマニホールドハウジング内にフィルタが設置される。これについて以下でより詳細に説明する。
【００１０】
図１は本発明の実施形態による着脱可能なマニホールドを有する交換可能な流体容器の分解図である。交換可能な流体容器１は略直方体形状のハウジング２を備える。ハウジング２はパワーユニット(図示せず)と共に使用するのに必要な潤滑油、冷却剤、油圧作動液又は他の流体のような流体を収容するように構成されている。パワーユニットにはエンジン(２ストローク、４ストローク)、モーター(電気など)、発電設備などを含む。ハウジング２はベース部４と頂部５とを有する連続した外壁３を有する。ベース部４は外壁３の第１の端部６を閉鎖し、頂部５は外壁３の第２の端部７を閉鎖する。これにより交換可能な流体容器１が形成される。ベース部４には移送弁１０を受け入れる開口部９に沿ってくぼみ８が設けられている。くぼみ８は流体が交換可能な流体容器１に出入りできるようにするための流体入口１１と流体出口１２とを含む。移送弁は交換可能な流体容器１からパワーユニット自体（ウェットサンプシステム内）またはさらなる交換可能な流体容器１ａ（二等分された容器を含む）（ドライサンプシステム内）に流体を送り出すために使用される。ベース部４は交換可能な流体容器１をパワーユニットの流体分配システムに接続するために設けられたドック（図示せず）内に位置するようにさらに構成される。これを行うためにベース部４はドック内に交換可能な流体容器１を誘導し保持するのを補助するベース部４の外周を囲む小さな直立部１３をも備える。
【００１１】
交換可能な流体容器１に含まれる流体がマニホールド１４を通って流出するために、着脱可能なマニホールド１４がくぼみ８を介して交換可能な流体容器１に接続されてもよい。マニホールド１４は摩擦嵌めを用いて接続されてもよく、この場合くぼみ８およびマニホールド１４はマニホールド１４がくぼみ８にちょうど嵌合し、摩擦によって保持されるように寸法決めされる。あるいはベース部４内のくぼみ８は着脱可能なマニホールド１４をハウジング２に固定するための固定手段（図示せず）を含んでもよい。固定手段はねじ山、または少なくとも１つのリップおよびチャンネル構成を含んでもよい。例えば単一のリップがくぼみ８の外周を囲んで延びていてもよく、またはくぼみ８の外周に規則的に間隔を置いて複数の小さなリップが設けられていてもよい。くぼみ８自体は着脱可能なマニホールド１４を受け入れて収容するような大きさに寸法決めされている。これに加えまたはこれに代えて、着脱可能なマニホールド１４はセルフシーリングカップリングを含むことができる。
【００１２】
図２に示されるようにマニホールド１４は少なくとも第１の側面１６および第２の側面１７を有するマニホールドハウジング１５を備える。第１の対向する側面１６は交換可能な流体容器１に隣接するように構成され、第２の対向する側面１７は交換可能な流体容器１から遠隔になるように構成される。連続する外壁１８はその２つを分離する。マニホールド入口１９およびマニホールド出口２０は、第２の対向する側面１７に配置され、容器入口２１および容器出口２２は第１の対向する側面に配置される。容器入口２１は流体入口１１に流体接続されるように構成され、そして容器出口２２は流体出口１２と流体接続されるように構成される。マニホールドハウジング１５の内部では、マニホールド入口１９が容器入口２１に接続されるように構成され、マニホールド出口１９が容器出口２２に接続されるように構成される。この貫通接続は流体がマニホールド１４を介して交換可能な流体容器１から流出することを可能にする。マニホールドハウジング１５内にはフィルタ２３が取り付けられており、マニホールド入口１９に流入する流体とマニホールド出口２０から流出する流体とがフィルタを介して流れるようになっている。マニホールド１４はねじ山または少なくとも１つのチャンネルおよびリップをさらに備え、ベース部５のくぼみ内の固定手段と係合する。例えばねじ山に関しては、くぼみ８のそれらと同一および相反するねじ山または保持手段がマニホールド１４に位置づけられる。チャンネルおよびリップの場合、入口８に設けられた各チャンネルはマニホールド１４上に対応するリップを有し、入口８の各リップはマニホールド自体の上に対応するチャンネルを有する。あるいはマニホールド１４を入口８に保持するために固定クリップのような他の手段を使用することもできる。着脱可能なマニホールドを使用することにより、サービス中、交換可能な流体容器１が取り外されたときにマニホールドを別々に取り外して洗浄することもできる。フィルタを取り外すために交換可能な流体容器１を解体する必要がないので、この設計は当技術分野で知られているものより優れた利点を提供する。
【００１３】
交換可能な流体容器１はリサイクル可能および／または再使用可能な材料から作られることが好ましい。これらにはリサイクルが容易であるか、または数回再利用できるほど十分に堅牢な、多くのプラスチック材料およびナイロンなどの強化プラスチック材料が含まれる。このことを念頭に置いて着脱可能なマニホールド１４は交換可能な流体容器１のリサイクルおよび／または再使用を容易にするためにハウジング２から取り外すことができるようになっている。着脱可能なマニホールド１４はまた好ましくは交換可能な流体容器１に使用される材料と同じか、または互換性のあるリサイクル可能な材料から作られてもよい。交換可能な流体容器１はまた交換可能な流体容器１に出入りする流体の流れを制御するためのコントローラユニットを含んでもよい。コントローラはプロセッサと流体、流体の流れ、または流体の質に関する情報を格納するメモリとを含むことができる。コントローラは機械１内のエンジンコントローラと通信できてもよい。交換可能な流体容器１はまた交換可能な流体容器内の流体が臨界水準に達したことを示す水準センサを含んでもよい。押し込み嵌めコネクタはステンレス鋼のような適切な材料で作られてもよい。
【００１４】
本発明のさらなる実施形態は従属する請求の範囲から当業者には明らかであろう。
【図１】
2020528120.tif 000003
【図２】
2020528120.tif 000004
【国際調査報告】
2020528120.tif 000005
2020528120.tif 000006
2020528120.tif 000007